(57)【要約】【課題】車両の側突時に、サイドドアのドアトリムに形成した台座部に対するアームレストの係止が解除されたとしても、アームレストが自由に飛散しないようにする。【解決手段】車両のアームレスト装置は、サイドドアに取り付けられるドアトリム１の一部を車室２側に膨出させ、その上面板４に上下方向に貫通する開口５を形成した台座部３と、台座部３の上面板４上に載置されるアームレスト８と、台座部３の上面板４の上方域９でアームレスト８を下方移動Ａさせることにより、アームレスト８を台座部３の上面板４に係止可能とさせる係止具１０とを備える。台座部３の上面板４の上方域９におけるアームレスト８のほぼ水平な一方向への移動Ｂにより、アームレスト８を台座部３に掛合可能とさせる掛合具２２を設ける。掛合具２２による台座部３へのアームレスト８の掛合状態で、台座部３の上面板４に対するアームレスト８の係止が可能となるようにする。【選択図】図１
2011056989.tif 000002
【特許請求の範囲】
【請求項１】
サイドドアの車室側の面に取り付けられるドアトリムの一部を上記車室側に膨出させ、その上面板に上下方向に貫通する開口を形成した台座部と、上記開口をその上方から覆うよう上記台座部の上面板上に載置されるアームレストと、上記台座部の上面板の上方域で上記アームレストを下方移動させることにより、このアームレストを上記台座部の上面板に係止可能とさせる係止具とを備えた車両のアームレスト装置において、
上記台座部の上面板の上方域における上記アームレストのほぼ水平な一方向への移動により、このアームレストを上記台座部に掛合可能とさせる掛合具を設け、この掛合具による上記台座部へのアームレストの掛合状態で、上記台座部の上面板に対するアームレストの上記係止が可能となるようにしたことを特徴とする車両のアームレスト装置。
【発明の詳細な説明】
【技術分野】
【０００１】
本発明は、サイドドアのドアトリムを膨出させることにより形成される台座部と、この台座部の上端部に載置されてこの上端部に係止されるアームレストとを備えた車両のアームレスト装置に関するものである。
【背景技術】
【０００２】
上記車両のアームレスト装置には、従来、下記特許文献１に示されるものがある。この公報のものによれば、車両のアームレスト装置は、サイドドアの車室側の面に取り付けられるドアトリムの一部を上記車室側に膨出させ、その上面板に上下方向に貫通する開口を形成した台座部と、上記開口をその上方から覆うよう上記台座部の上面板上に載置されるアームレストと、上記台座部の上面板の上方域で上記アームレストを下方移動させることにより、このアームレストを上記台座部の上面板に係止可能とさせる係止具とを備えている。
【０００３】
そして、上記構成によれば、次のような作用が生じると考えられる。
【０００４】
即ち、上記台座部はドアトリムの一部を膨出させることにより形成されていて、この膨出により、上記台座部にはある程度の大きい剛性が確保される。このため、この台座部の上面板上に載置されて支持されたアームレストに対し乗員側から下方に向かう負荷が与えられるとき、この負荷は上記アームレストを介し上記台座部によって強固に支持される。
【０００５】
一方、上記したように台座部の上面板には開口が形成されている。また、上記台座部の上面板に対し上記アームレストは係止されるにとどまっており、つまり、このアームレストによって台座部が大きくは補強されないよう考慮されている。このようにして、台座部は、その側方からの外力に対し、剛性が過大になることが防止される。
【０００６】
このため、車両の側突時に、上記ドアトリムに車室側で隣接して着座する乗員と上記サイドドアとの間に上記台座部が上記側突時の衝撃力により挟み付けられる場合、この台座部は円滑に塑性変形し、かつ、この変形により、上記台座部の上面板へのアームレストの上記係止が解除されて、上記台座部は更に円滑に塑性変形する。この結果、上記側突時に、上記台座部から乗員に与えられようとする衝撃力が緩和される。
【先行技術文献】
【特許文献】
【０００７】
【特許文献１】特開平１１−２７８０５６号公報
【発明の概要】
【発明が解決しようとする課題】
【０００８】
ところで、上記したように車両の側突時に、その衝撃力により上記台座部に対するアームレストの係止が解除される場合、このアームレストは、いずれかの方向に向かって自由に飛散しがちとなり、これは、乗員の保護上、好ましくない。
【０００９】
そこで、上記従来の技術の特に図５に記載のように、上記台座部にアームレストを締結具により固着させておくことが考えられる。しかし、この構成の場合、締結具の存在により、このアームレストの外観上の見栄えが低下するおそれがある。また、上記締結具の捻回操作は煩雑であることから、このような締結具を用いての上記台座部へのアームレストの組み付け作業は煩雑になるおそれもある。
【課題を解決するための手段】
【００１０】
本発明は、上記のような事情に注目してなされたもので、本発明の目的は、車両の側突時に、サイドドアのドアトリムに形成した台座部に対するアームレストの係止が解除されたとしても、このアームレストが自由に飛散しないようにして、乗員をより確実に保護できるようにし、かつ、このようにした場合でも、上記アームレストの外観上の見栄えが良好に保たれるようにすると共に、上記台座部へのアームレストの組み付け作業が容易にできるようにすることである。
【００１１】
請求項１の発明は、サイドドアの車室２側の面に取り付けられるドアトリム１の一部を上記車室２側に膨出させ、その上面板４に上下方向に貫通する開口５を形成した台座部３と、上記開口５をその上方から覆うよう上記台座部３の上面板４上に載置されるアームレスト８と、上記台座部３の上面板４の上方域９で上記アームレスト８を下方移動Ａさせることにより、このアームレスト８を上記台座部３の上面板４に係止可能とさせる係止具１０とを備えた車両のアームレスト装置において、
上記台座部３の上面板４の上方域９における上記アームレスト８のほぼ水平な一方向への移動Ｂにより、このアームレスト８を上記台座部３に掛合可能とさせる掛合具２２を設け、この掛合具２２による上記台座部３へのアームレスト８の掛合状態（図１中一点鎖線）で、上記台座部３の上面板４に対するアームレスト８の上記係止が可能となるようにしたことを特徴とする車両のアームレスト装置である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、サイドドアの車室側の面に取り付けられるドアトリムの一部を上記車室側に膨出させ、その上面板に上下方向に貫通する開口を形成した台座部と、上記開口をその上方から覆うよう上記台座部の上面板上に載置されるアームレストと、上記台座部の上面板の上方域で上記アームレストを下方移動させることにより、このアームレストを上記台座部の上面板に係止可能とさせる係止具とを備えた車両のアームレスト装置において、
上記台座部の上面板の上方域における上記アームレストのほぼ水平な一方向への移動により、このアームレストを上記台座部に掛合可能とさせる掛合具を設け、この掛合具による上記台座部へのアームレストの掛合状態で、上記台座部の上面板に対するアームレストの上記係止が可能となるようにしている。
【００１５】
このため、上記台座部の剛性向上は上記開口の形成により抑制されることから、車両の側突時に、上記ドアトリムに車室側で隣接して着座する乗員と上記サイドドアとの間に上記台座部が上記側突時の衝撃力により挟み付けられる場合、この台座部は円滑に塑性変形する。また、この際、このように変形する台座部の上面板によってアームレストは押し上げられることにより、上記した台座部の上面板への係止時とは逆に上方移動して、上記係止が解除されがちとなり、よって、このアームレストに影響されることなく上記台座部は更に円滑に塑性変形する。この結果、上記側突時に、上記台座部から乗員に与えられようとする衝撃力が緩和される。
【００１６】
ここで、上記したように台座部の上面板に対するアームレストの係止が解除されたとする。しかし、この場合において、上記アームレストは、上記台座部に対しほぼ水平な上記一方向とは反対の方向に移動しない限り、上記掛合具による台座部への掛合状態は維持される。よって、側突時に、上記台座部の上面板に対するアームレストの係止が解除されたとしても、これだけが原因となって上記台座部からアームレストが自由に飛散する、ということは防止され、この結果、乗員がより確実に保護される。
【００１７】
また、上記した側突時のアームレストの飛散防止は、上記台座部にアームレストを締結具により固着させたことによるものではない。このため、締結具を設けることによるアームレストの外観上の見栄えの低下が防止されて、このアームレストの見栄えは良好に保たれる。
【００１８】
しかも、上記した側突時のアームレストの飛散防止は、上記掛合具により台座部にアームレストを掛合させることにより達成されるのであって、このような掛合の操作は、締結具への捻回操作に比べて容易である。よって、その分、上記台座部へのアームレストの組み付け作業が容易にできる。
【図面の簡単な説明】
【００１９】
【図１】アームレスト装置を車室側から見た部分断面側面図である。
【図２】アームレスト装置を車室側から見た全体斜視図である。
【図３】図２の部分拡大斜視展開図である。
【図４】図１で示したものの平面図である。
【発明を実施するための形態】
【００２０】
本発明の車両のアームレスト装置に関し、車両の側突時に、サイドドアのドアトリムに形成した台座部に対するアームレストの係止が解除されたとしても、このアームレストが自由に飛散しないようにして、乗員をより確実に保護できるようにし、かつ、このようにした場合でも、上記アームレストの外観上の見栄えが良好に保たれるようにすると共に、上記台座部へのアームレストの組み付け作業が容易にできるようにする、という目的を実現するため、本発明を実施するための形態は、次の如くである。
【００２１】
即ち、車両のアームレスト装置は、サイドドアの車室側の面に取り付けられるドアトリムの一部を上記車室側に膨出させ、その上面板に上下方向に貫通する開口を形成した台座部と、上記開口をその上方から覆うよう上記台座部の上面板上に載置されるアームレストと、上記台座部の上面板の上方域で上記アームレストを下方移動させることにより、このアームレストを上記台座部の上面板に係止可能とさせる係止具とを備える。
【００２２】
上記台座部の上面板の上方域における上記アームレストのほぼ水平な一方向への移動により、このアームレストを上記台座部に掛合可能とさせる掛合具が設けられる。この掛合具による上記台座部へのアームレストの掛合状態で、上記台座部の上面板に対するアームレストの上記係止が可能とされる。
【実施例】
【００２３】
本発明をより詳細に説明するために、その実施例を添付の図に従って説明する。
【００２４】
図において、符号１は樹脂製のドアトリムであり、このドアトリム１は、自動車で例示される車両のサイドドアの車室２側の面に、クリップなどにより取り付けられるものである。また、矢印Ｆｒは、この車両の進行方向の前方を示している。
【００２５】
上記ドアトリム１の一部が上記車室２側に膨出させられて台座部３が形成されている。この台座部３は、その上面板４が車両の平面視（図４）で、車両の前後方向に長く延びる長方形状となるよう膨出させられている。また、上記上面板４は全体的にほぼ水平方向に延び、この上面板４の後部側には、上下方向に貫通する開口５が形成されている。
【００２６】
以下、上記ドアトリム１に設けられるアームレスト装置７につき説明する。
【００２７】
上記アームレスト装置７は、上記開口５（含む上面板４）をその上方から全体的に覆うよう上記台座部３の上面板４上に載置される樹脂製のアームレスト８を備えている。このアームレスト８は、上記ドアトリム１に車室２側で隣接して着座する乗員のアームを載置可能にさせるためのものである。車両の平面視（図４）で、上記アームレスト８は、上記台座部３の上面板４とほぼ同形同大の長方形状とされている。また、上記アームレスト８の車両の正面視、側面視（図１）の各断面はそれぞれ偏平な倒立Ｕ字形状とされている。
【００２８】
上記台座部３の上面板４の上方域９で上記アームレスト８を下方移動Ａさせることにより、このアームレスト８を上記台座部３の上面板４にがたつきなく係止可能とさせる係止具１０が設けられている。この係止具１０は、それぞれ複数の第１、第２係止具１１，１２を備えている。このうち、第１係止具１１は、上記アームレスト８の下面から下方に向かって一体的に突出し、上記上面板４における開口５の開口縁部に形成された係止孔１４に密に嵌入される係止突起１５を備えている。また、上記第２係止具１２は、上記アームレスト８の下面から下方に向かって一体的に突出し、上記上面板４に形成された他の係止孔１６の孔縁部、もしくは上記開口５の開口縁部に係止される係止フック１７を備えている。
【００２９】
上記各第１係止具１１は、車両の幅方向で、上記台座部３の上面板４の車外側に配置され、上記各第２係止具１２は、上記台座部３の上面板４の車室２側および後端部に配置されている。また、上記第１、第２係止具１１，１２は、それぞれそのほぼ全体が上記アームレスト８の内部空間１９内に収容されている。
【００３０】
上記台座部３の上面板４の上方域９における上記アームレスト８のほぼ水平な一方向への移動Ｂにより、このアームレスト８を上記台座部３の上面板４に掛合可能とさせる掛合具２２が設けられている。
【００３１】
上記掛合具２２は、上記上面板４の前端部に形成され、車両の幅方向に長く延びる長孔２３と、この幅方向で長孔２３の車室２側端部における後孔縁部に形成される切り欠き２４と、上記アームレスト８の前端部下面から後方に向かって一体的に突出する突起２６と、この突起２６の突出端に一体的に形成されて、上下方向に突出する掛合片２７とを備えている。この場合、上記突起２６と掛合片２７とはそれぞれそのほぼ全体が上記アームレスト８の内部空間１９内に収容されている。
【００３２】
上記上方域９から上記アームレスト８の前部を下方移動Ａさせれば、これに伴い下方移動Ａする上記掛合具２２の突起２６と掛合片２７とは、車両の幅方向における上記長孔２３の車室２側の端部と、上記切り欠き２４とを通り、上記台座部３の内部に挿入可能とされる（図１，４中一点鎖線）。
【００３３】
上記状態から、上記アームレスト８を車両の幅方向で車外側に向かって、一方向への移動Ｂをさせる。すると、このアームレスト８と共に上記一方向への移動Ｂをする上記掛合具２２の突起２６が上記長孔２３の車外側の端部に遊嵌状に嵌合させられる（図１中一点鎖線）。この嵌合状態で、仮に、上記アームレスト８を後方移動させようとすると、このアームレスト８の前端部下面が上記上面板４の前端部外面に当接して、上記アームレスト８の後方移動が阻止される。一方、上記アームレスト８を前方移動させると、多少の前方移動は許容されるが、その後、上記掛合片２７が上記長孔２３の車外側の端部の孔縁部に当接して、上記台座部３からの上記アームレスト８の離脱が防止される。つまり、上記アームレスト８につき上記一方向への移動Ｂをさせれば、上記掛合具２２により、上記長孔２３を形成した上記台座部３の上面板４への上記アームレスト８の掛合状態（図１中一点鎖線）が得られる。
【００３４】
次に、上記した台座部３へのアームレスト８の掛合状態（図１中一点鎖線）で、上記掛合具２２をほぼ中心として、上記アームレスト８の後部側を下方回動させるよう下方移動Ａさせる。すると、上記台座部３の上面板４に対し上記係止具１０によりアームレスト８が係止される（図１，２，４中実線）。
【００３５】
上記アームレスト８を支持する台座部３の強度上の作用は、前記従来の技術にて説明の内容と同様である。
【００３６】
また、上記構成によれば、上記台座部３の剛性向上は上記開口５の形成により抑制されることから、車両の側突時に、上記ドアトリム１に車室２側で隣接して着座する乗員と、上記サイドドアとの間に上記台座部３が上記側突時の衝撃力Ｆにより挟み付けられる場合、この台座部３は円滑に塑性変形する。また、この際、このように変形する台座部３の上面板４によってアームレスト８は押し上げられることにより、上記した台座部３の上面板４への係止時とは逆に上方移動して、上記係止が解除されがちとなり、よって、このアームレスト８に影響されることなく上記台座部３は更に円滑に塑性変形する。この結果、上記側突時に、上記台座部３から乗員に与えられようとする衝撃力Ｆが緩和される。
【００３７】
ここで、上記したように台座部３の上面板４に対するアームレスト８の係止が解除されたとする。しかし、この場合において、上記アームレスト８は、上記台座部３に対しほぼ水平な上記一方向とは反対の方向に移動しない限り、上記掛合具２２による台座部３への掛合状態は維持される。よって、側突時に、上記台座部３の上面板４に対するアームレスト８の係止が解除されたとしても、これだけが原因となって上記台座部３からアームレスト８が自由に飛散する、ということは防止され、この結果、乗員がより確実に保護される。
【００３８】
また、上記した側突時のアームレスト８の飛散防止は、上記台座部３にアームレスト８を締結具により固着させたことによるものではない。このため、締結具を設けることによるアームレスト８の外観上の見栄えの低下が防止されて、このアームレスト８の見栄えは良好に保たれる。
【００３９】
しかも、上記した側突時のアームレスト８の飛散防止は、上記掛合具２２により、台座部３にアームレスト８を掛合させることにより達成されるのであって、このような掛合の操作は、締結具への捻回操作に比べて容易である。よって、その分、上記台座部３へのアームレスト８の組み付け作業が容易にできる。
【００４０】
なお、以上は図示の例によるが、上記アームレスト８の上面に、サイドドアの開閉時の手掛用凹部を形成してもよい。また、上記アームレスト装置７は、図示のものと前後が逆であってもよい。また、上記一方向への移動Ｂは、車両の前後方向でもよく、車両の幅方向で車室２側に向かう方向であってもよい。
【符号の説明】
【００４１】
１    ドアトリム
２    車室
３    台座部
４    上面板
５    開口
７    アームレスト装置
８    アームレスト
９    上方域
１０  係止具
１９  内部空間
２２  掛合具
Ａ    下方移動
Ｂ    一方向への移動
Ｆ    衝撃力
【図１】
2011056989.tif 000003
【図２】
2011056989.tif 000004
【図３】
2011056989.tif 000005
【図４】
2011056989.tif 000006